(57)【特許請求の範囲】
【請求項１】
上部が開口した容器本体の口頸部に着脱自在に取り付けられるキャップユニットであって、
前記容器本体の上部開口部を閉塞すると共に、上部に飲み口又は注ぎ口が設けられたキャップ本体と、
前記キャップ本体にヒンジ部を介して回動自在に取り付けられると共に、前記ヒンジ部に設けられた付勢部材によって前記飲み口又は注ぎ口を開放する方向に付勢された状態で、前記飲み口又は注ぎ口を開閉する蓋体と、
前記付勢部材の付勢に抗して、前記蓋体が前記飲み口又は注ぎ口を閉塞する位置にて前記蓋体を固定する蓋ロック機構とを備え、
前記蓋ロック機構は、前記蓋体の上部に操作ボタンを有し、前記操作ボタンを前記ヒンジ部に向かう方向にスライドさせる操作をした後に、前記操作ボタンを押し下げる方向に操作することによって、前記蓋体のロック状態を解除し、前記付勢部材の付勢により前記蓋体を開方向に回動可能とするものであって、
前記蓋ロック機構は、前記操作ボタンをスライドさせる方向に案内するガイド溝と、
前記ガイド溝の内側に位置して前記操作ボタンを押し下げる方向に案内するガイド孔と、
前記ガイド孔の内側に配置されると共に、前記操作ボタンをスライド方向の一端と他端との間でスライド自在に案内する操作部材と、
前記操作ボタンをスライド方向の前記一端側に向かって付勢する第１のバネ部材と、
前記蓋体にヒンジ部を介して回動自在に取り付けられると共に、一端側に設けられた一方の係止部が前記キャップ本体側に設けられた他方の係止部に係止されるロック位置と、前記一方の係止部と前記他方の係止部との係止状態が解除されるロック解除位置との間で回動されるロック部材と、
前記ロック部材を回動方向の前記ロック位置側に向かって付勢する第２のバネ部材とを有し、
前記操作ボタンを前記第１のバネ部材の付勢に抗して前記一端側から前記他端側までスライドさせる操作をした後に、前記操作ボタンを前記操作部材と共に前記第２のバネ部材の付勢に抗して前記ガイド孔の内側に向かって押し下げる操作を行うことによって、前記操作部材が前記ロック部材の他端側を押圧しながら、前記第２のバネ部材の付勢に抗して前記ロック部材を前記ロック解除位置まで回動させることを特徴とするキャップユニット。
【請求項２】
上部が開口した容器本体の口頸部に着脱自在に取り付けられるキャップユニットであって、
前記容器本体の上部開口部を閉塞すると共に、上部に飲み口又は注ぎ口が設けられたキャップ本体と、
前記キャップ本体にヒンジ部を介して回動自在に取り付けられると共に、前記ヒンジ部に設けられた付勢部材によって前記飲み口又は注ぎ口を開放する方向に付勢された状態で、前記飲み口又は注ぎ口を開閉する蓋体と、
前記付勢部材の付勢に抗して、前記蓋体が前記飲み口又は注ぎ口を閉塞する位置にて前記蓋体を固定する蓋ロック機構とを備え、
前記蓋ロック機構は、前記蓋体の上部に操作ボタンを有し、前記操作ボタンを前記ヒンジ部に向かう方向にスライドさせる操作をした後に、前記操作ボタンを押し下げる方向に操作することによって、前記蓋体のロック状態を解除し、前記付勢部材の付勢により前記蓋体を開方向に回動可能とするものであって、
前記蓋ロック機構は、前記蓋体の上部に位置して前記操作ボタンを押し下げる方向に案内するガイド孔と、
前記ガイド孔の内側に配置されると共に、前記操作ボタンをスライド方向の一端と他端との間でスライド自在に案内する操作部材と、
前記操作ボタンをスライド方向の前記一端側に向かって付勢する第１のバネ部材と、
前記蓋体にヒンジ部を介して回動自在に取り付けられると共に、一端側に設けられた一方の係止部が前記キャップ本体側に設けられた他方の係止部に係止されるロック位置と、前記一方の係止部と前記他方の係止部との係止状態が解除されるロック解除位置との間で回動されるロック部材と、
前記ロック部材を回動方向の前記ロック位置側に向かって付勢する第２のバネ部材とを有し、
前記操作ボタンのスライド方向の前記一端は、前記操作ボタンの一部が前記蓋体の上面と重なる位置にあり、前記操作ボタンのスライド方向の前記他端は、前記操作ボタンが前記ガイド孔と重なる位置にあり、
前記操作ボタンを前記第１のバネ部材の付勢に抗して前記一端側から前記他端側までスライドさせる操作をした後に、前記操作ボタンを前記操作部材と共に前記第２のバネ部材の付勢に抗して前記ガイド孔の内側に向かって押し下げる操作を行うことによって、前記操作部材が前記ロック部材の他端側を押圧しながら、前記第２のバネ部材の付勢に抗して前記ロック部材を前記ロック解除位置まで回動させることを特徴とするキャップユニット。
【請求項３】
前記操作ボタンをスライドさせる方向に案内するガイド溝を有し、
前記ガイド孔は、前記ガイド溝の内側に位置することを特徴とする請求項２に記載のキャップユニット。
【請求項４】
前記蓋ロック機構は、前記操作部材を押し上げる方向に向かって付勢する第３のバネ部材を有することを特徴とする請求項１〜３の何れか一項に記載のキャップユニット。
【請求項５】
前記蓋体の少なくとも側面の一部を覆う滑り止め部材を備え、
前記滑り止め部材は、前記蓋体側のヒンジ部と前記ロック部材側のヒンジ部とのそれぞれの端部を覆うように設けられていることを特徴とする請求項１〜４の何れか一項に記載のキャップユニット。
【請求項６】
前記蓋体には、前記飲み口又は注ぎ口を密閉するシール部材が設けられていることを特徴とする請求項１〜５の何れか一項に記載のキャップユニット。
【請求項７】
前記飲み口又は注ぎ口形成する口形成部材を備え、
前記口形成部材は、前記キャップ本体に対して着脱自在に取り付けられていることを特徴とする請求項１〜６の何れか一項に記載のキャップユニット。
【請求項８】
請求項１〜７の何れか一項に記載のキャップユニットと、
前記キャップユニットが取り付けられた容器本体とを備える飲料用容器。
【発明の詳細な説明】
【技術分野】
【０００１】
本発明は、キャップユニット及び飲料用容器に関する。
【背景技術】
【０００２】
従来より、上部が開口した容器本体の口頸部に着脱自在に取り付けられるキャップユニットがある（例えば、特許文献１，２を参照。）。キャップユニットの上部には、飲み口又は注ぎ口を開閉する蓋体がヒンジ部を介して回動自在に取り付けられている。蓋体は、ヒンジ部に設けられた付勢部材によって開方向に付勢されている。キャップユニットには、蓋体が飲み口又は注ぎ口を閉塞する位置にて蓋体を固定する蓋ロック機構が設けられている。蓋ロック機構では、操作ボタンを押圧操作することによって、蓋体のロック状態を解除し、付勢部材の付勢により蓋体を開方向に回動させることが可能となっている。
【０００３】
ところで、上述した従来の蓋ロック機構では、操作ボタンの不用意な押圧操作によって、蓋体のロック状態が解除されると、容器本体に収容された飲料（内容物）が飲み口又は注ぎ口から外部へと不意に飛び出してしまう虞れがある。
【０００４】
特に、真空断熱構造を有する容器本体（いわゆる魔法瓶）によって保温・保冷機能を持たせた飲料用容器（いわゆる水筒）では、保温又は保冷された飲料が不意に外部に飛び出すことがないように、上述した操作ボタンの誤操作を防ぐ必要がある。
【０００５】
例えば、引用文献１に記載の飲料用容器では、容器本体の口頸部の内側に中栓が螺合により着脱自在に取り付けられると共に、この中栓を覆うようにコップが容器本体の口頸部の外側に螺合により着脱自在に取り付けられている。このような構成の場合、コップによって中栓の上部に設けられた操作ボタンの誤操作を防ぐことができる。一方、飲用時には、コップを取り外してから、操作ボタンを操作する必要があるため、使い勝手の面で不便を感じることがある。
【０００６】
一方、引用文献２に記載の飲料用容器では、蓋ロック機構の誤操作を阻止するため、蓋ロック機構とは別に安全ストッパーが設けられている。しかしながら、このような構成の場合、飲用時に蓋ロック機構を解除する操作とは別に、安全ストッパーを解除する操作が必要となる。したがって、この場合も、使い勝手の面で不便を感じることがある。
【先行技術文献】
【特許文献】
【０００７】
【特許文献１】特開２０１３−７５７１９号公報
【特許文献２】特開２０１２−１０６８０２号公報
【発明の概要】
【発明が解決しようとする課題】
【０００８】
本発明は、このような従来の事情に鑑みて提案されたものであり、不用意な操作によって蓋体が開くことを防止しつつ、使い勝手の更なる向上を可能としたキャップユニット、並びに、そのようなキャップユニットを備えた飲料用容器を提供することを目的とする。
【課題を解決するための手段】
【０００９】
上記目的を達成するために、本発明は以下の手段を提供する。
〔１〕  上部が開口した容器本体の口頸部に着脱自在に取り付けられるキャップユニットであって、
前記容器本体の上部開口部を閉塞すると共に、上部に飲み口又は注ぎ口が設けられたキャップ本体と、
前記キャップ本体にヒンジ部を介して回動自在に取り付けられると共に、前記ヒンジ部に設けられた付勢部材によって前記飲み口又は注ぎ口を開放する方向に付勢された状態で、前記飲み口又は注ぎ口を開閉する蓋体と、
前記付勢部材の付勢に抗して、前記蓋体が前記飲み口又は注ぎ口を閉塞する位置にて前記蓋体を固定する蓋ロック機構とを備え、
前記蓋ロック機構は、前記蓋体の上部に操作ボタンを有し、前記操作ボタンを前記ヒンジ部に向かう方向にスライドさせる操作をした後に、前記操作ボタンを押し下げる方向に操作することによって、前記蓋体のロック状態を解除し、前記付勢部材の付勢により前記蓋体を開方向に回動可能とするものであって、
前記蓋ロック機構は、前記操作ボタンをスライドさせる方向に案内するガイド溝と、
前記ガイド溝の内側に位置して前記操作ボタンを押し下げる方向に案内するガイド孔と、
前記ガイド孔の内側に配置されると共に、前記操作ボタンをスライド方向の一端と他端との間でスライド自在に案内する操作部材と、
前記操作ボタンをスライド方向の前記一端側に向かって付勢する第１のバネ部材と、
前記蓋体にヒンジ部を介して回動自在に取り付けられると共に、一端側に設けられた一方の係止部が前記キャップ本体側に設けられた他方の係止部に係止されるロック位置と、前記一方の係止部と前記他方の係止部との係止状態が解除されるロック解除位置との間で回動されるロック部材と、
前記ロック部材を回動方向の前記ロック位置側に向かって付勢する第２のバネ部材とを有し、
前記操作ボタンを前記第１のバネ部材の付勢に抗して前記一端側から前記他端側までスライドさせる操作をした後に、前記操作ボタンを前記操作部材と共に前記第２のバネ部材の付勢に抗して前記ガイド孔の内側に向かって押し下げる操作を行うことによって、前記操作部材が前記ロック部材の他端側を押圧しながら、前記第２のバネ部材の付勢に抗して前記ロック部材を前記ロック解除位置まで回動させることを特徴とするキャップユニット。
〔２〕  上部が開口した容器本体の口頸部に着脱自在に取り付けられるキャップユニットであって、
前記容器本体の上部開口部を閉塞すると共に、上部に飲み口又は注ぎ口が設けられたキャップ本体と、
前記キャップ本体にヒンジ部を介して回動自在に取り付けられると共に、前記ヒンジ部に設けられた付勢部材によって前記飲み口又は注ぎ口を開放する方向に付勢された状態で、前記飲み口又は注ぎ口を開閉する蓋体と、
前記付勢部材の付勢に抗して、前記蓋体が前記飲み口又は注ぎ口を閉塞する位置にて前記蓋体を固定する蓋ロック機構とを備え、
前記蓋ロック機構は、前記蓋体の上部に操作ボタンを有し、前記操作ボタンを前記ヒンジ部に向かう方向にスライドさせる操作をした後に、前記操作ボタンを押し下げる方向に操作することによって、前記蓋体のロック状態を解除し、前記付勢部材の付勢により前記蓋体を開方向に回動可能とするものであって、
前記蓋ロック機構は、前記蓋体の上部に位置して前記操作ボタンを押し下げる方向に案内するガイド孔と、
前記ガイド孔の内側に配置されると共に、前記操作ボタンをスライド方向の一端と他端との間でスライド自在に案内する操作部材と、
前記操作ボタンをスライド方向の前記一端側に向かって付勢する第１のバネ部材と、
前記蓋体にヒンジ部を介して回動自在に取り付けられると共に、一端側に設けられた一方の係止部が前記キャップ本体側に設けられた他方の係止部に係止されるロック位置と、前記一方の係止部と前記他方の係止部との係止状態が解除されるロック解除位置との間で回動されるロック部材と、
前記ロック部材を回動方向の前記ロック位置側に向かって付勢する第２のバネ部材とを有し、
前記操作ボタンのスライド方向の前記一端は、前記操作ボタンの一部が前記蓋体の上面と重なる位置にあり、前記操作ボタンのスライド方向の前記他端は、前記操作ボタンが前記ガイド孔と重なる位置にあり、
前記操作ボタンを前記第１のバネ部材の付勢に抗して前記一端側から前記他端側までスライドさせる操作をした後に、前記操作ボタンを前記操作部材と共に前記第２のバネ部材の付勢に抗して前記ガイド孔の内側に向かって押し下げる操作を行うことによって、前記操作部材が前記ロック部材の他端側を押圧しながら、前記第２のバネ部材の付勢に抗して前記ロック部材を前記ロック解除位置まで回動させることを特徴とするキャップユニット。
〔３〕  前記操作ボタンをスライドさせる方向に案内するガイド溝を有し、
前記ガイド孔は、前記ガイド溝の内側に位置することを特徴とする前記〔２〕に記載のキャップユニット。
〔４〕  前記蓋ロック機構は、前記操作部材を押し上げる方向に向かって付勢する第３のバネ部材を有することを特徴とする前記〔１〕〜〔３〕の何れか一項に記載のキャップユニット。
〔５〕  前記蓋体の少なくとも側面の一部を覆う滑り止め部材を備え、
前記滑り止め部材は、前記蓋体側のヒンジ部と前記ロック部材側のヒンジ部とのそれぞれの端部を覆うように設けられていることを特徴とする前記〔１〕〜〔４〕の何れか一項に記載のキャップユニット。
〔６〕  前記蓋体には、前記飲み口又は注ぎ口を密閉するシール部材が設けられていることを特徴とする前記〔１〕〜〔５〕の何れか一項に記載のキャップユニット。
〔７〕  前記飲み口又は注ぎ口形成する口形成部材を備え、
前記口形成部材は、前記キャップ本体に対して着脱自在に取り付けられていることを特徴とする前記〔１〕〜〔６〕の何れか一項に記載のキャップユニット。
〔８〕  前記〔１〕〜〔７〕の何れか一項に記載のキャップユニットと、
前記キャップユニットが取り付けられた容器本体とを備える飲料用容器。
【発明の効果】
【００１０】
以上のように、本発明によれば、不用意な操作によって蓋体が開くことを防止しつつ、使い勝手の更なる向上を可能としたキャップユニット、並びに、そのようなキャップユニットを備えた飲料用容器を提供することが可能である。
【図面の簡単な説明】
【００１１】
【図１】本発明の一実施形態に係る飲料用容器の外観を示す斜視図である。
【図２】図１に示す飲料用容器が備えるキャップユニットの閉状態を示す斜視図である。
【図３】図１に示す飲料用容器が備えるキャップユニットの開状態を示す斜視図である。
【図４】図１に示す飲料用容器が備えるキャップユニットの閉状態を示す断面図である。
【図５】図１に示す飲料用容器が備えるキャップユニットの開状態を示す断面図である。
【図６】図１に示す飲料用容器が備えるキャップユニットの滑り止め部材の取付位置を示す分解斜視図である。
【発明を実施するための形態】
【００１２】
以下、本発明の実施形態について、図面を参照して詳細に説明する。
本発明の一実施形態として、例えば図１〜図６に示す飲料用容器１について説明する。なお、図１は、飲料用容器１の外観を示す斜視図である。図２は、飲料用容器１が備えるキャップユニット３の閉状態を示す斜視図である。図３は、飲料用容器１が備えるキャップユニット３の開状態を示す斜視図である。図４は、飲料用容器１が備えるキャップユニット３の閉状態を示す断面図である。図５は、飲料用容器１が備えるキャップユニット３の開状態を示す断面図である。図６は、飲料用容器１が備えるキャップユニット３の滑り止め部材３８の取付位置を示す分解斜視図である。
【００１３】
飲料用容器１は、図１に示すように、容器本体２と、容器本体２に着脱自在に取り付けられるキャップユニット３とを備えている。飲料用容器１は、真空断熱構造を有する容器本体２によって、容器本体２に収容された飲料（内容物）を保温又は保冷することが可能となっている。
【００１４】
具体的に、この容器本体２は、図４及び図５に示すように、例えばステンレス等からなる有底筒状の外容器４及び内容器５を有し、外容器４の内側に内容器５を収容した状態で互いの口元部を接合した二重構造の容器により構成されている。また、外容器４と内容器５との間には、真空断熱層６が設けられている。真空断熱層６は、例えば、高真空に減圧（真空引き）されたチャンバー内で、外容器４の底面中央部に設けられた脱気孔を塞ぐことによって形成することができる。
【００１５】
容器本体２は、図１、図４及び図５に示すように、略円形状の底面部２ａと、底面部２ａの外周から略円筒状に起立した胴部２ｂと、胴部２ｂの上部側において縮径された略円筒状の口頸部２ｃとを有している。また、口頸部２ｃの上端部は、容器本体２の上部開口部２ｄとして、円形状に開口している。また、口頸部２ｃの内側には、リング状の段差部７が全周に亘って突出して設けられている。
【００１６】
なお、本実施形態の飲料用容器１は、全体として略円筒状の外観形状を有しているが、飲料用容器１の外観形状については、特に限定されるものではなく、サイズやデザイン等に合わせて、適宜変更を加えることが可能である。また、容器本体２の外周面には、塗装や印刷等が施されていてもよい。
【００１７】
キャップユニット３は、容器本体２の上部開口部２ｄを閉塞する栓体を構成するものである。具体的に、このキャップユニット３は、図２〜図５に示すように、キャップ本体８と、キャップ本体８に回動自在に取り付けられた蓋体９と、キャップ本体８に対して蓋体９を固定する蓋ロック機構１０とを備えている。なお、以下の説明では、キャップ本体８に対して蓋体９がヒンジ部２４を介して取り付けられる側を飲料用容器１の「後側」とし、それとは反対側を飲料用容器１の「前側」として説明する。
【００１８】
キャップ本体８は、例えばポリプロピレン等の耐熱性樹脂からなる。キャップ本体８は、容器本体２の胴部２ｂと連続するように略円筒状に形成された周壁部８ａと、周壁部８ａの上部に周壁部８ａよりも縮径された開口部８ｂが形成された上壁部８ｃとを有している。
【００１９】
キャップ本体８は、容器本体２の口頸部２ｃに螺合により着脱自在に取り付けられている。このため、周壁部８ａの内周面には、雌ネジ部１１が設けられている。一方、口頸部２ｃの外周面には、雌ネジ部１１と螺合される雄ネジ部１２が設けられている。
【００２０】
キャップ本体８の開口部８ｂには、飲み口又は注ぎ口（本実施形態では飲み口）を形成する口形成部材１３が着脱自在に取り付けられている。口形成部材１３は、例えばポリプロピレン等の耐熱性樹脂からなる。口形成部材１３は、通液口１４及び通気口１５が形成された底壁部１３ａと、底壁部１３ａの周囲から上方に向かって立ち上がる筒状の周壁部１３ｂと、底壁部１３ａの外周面の下端側からリング状に突出された下側フランジ部１３ｃと、周壁部１３ｂの外周面の上端側から互いに反対方向（左右方向）に突出された一対の上側フランジ部１３ｄと、周壁部１３ｂの上端から斜めカット状に突出された飲み口部１３ｅとを有している。
【００２１】
このうち、飲み口部１３ｅは、口形成部材１３の前側に位置している。通液口１４は、底壁部１３ａに形成された凹部１４ａの底面を貫通して設けられている。通気口１５は、凹部１４ａよりも高い位置にある底壁部１３ａを貫通して設けられている。また、通液口１４は、通気口１５よりも飲み口部１３ｅ側（前側）に位置し、丸孔を形成する通気口１５よりも前後方向に大きく略楕円状に開口している。
【００２２】
キャップ本体８と口形成部材１３との間には、キャップ本体８の開口部８ｂに口形成部材１３を着脱自在に取り付けるための脱着機構１６が設けられている。脱着機構１６は、口形成部材１３の前側に第１の爪部１７と、口形成部材１３の後側に第２の爪部１８が設けられたストッパー１９とを有している。
【００２３】
第１の爪部１７は、周壁部１３ｂの外周面の上端側から前方に突出して設けられている。ストッパー１９は、口形成部材１３の後側の外周面に沿って配置されている。また、ストッパー１９の下端（基端）部は、口形成部材１３に設けられたヒンジ部１３ｆに回動自在に支持されている。第２の爪部１８は、ストッパー１９の上端（先端）側から後方に向かって突出して設けられている。第２の爪部１８の先端部は、傾斜面１８ａを形成している。
【００２４】
口形成部材１３とストッパー１９との間には、例えばゴムやエラストマー等からなる弾性部材２０が配置されている。弾性部材２０は、ストッパー１９の口形成部材１３と対向する面に取り付けられている。弾性部材２０は、ストッパー１９の先端側を前方に向かって回動させたときに、ストッパー１９と口形成部材１３との間で圧縮される（弾性変形する）ことによって、ストッパー１９を後方に向かって付勢する。また、ストッパー１９の上端（先端）部には、このストッパー１９を指で回動操作し易くするための凹部又は凸部を有した操作部１９ａが設けられている。
【００２５】
一方、脱着機構１６は、キャップ本体８の前側に第１の被係止部２１と、キャップ本体８の後側に第２の被係止部２２とを有している。第１の被係止部２１及び第２の被係止部２２は、上壁部８ｃの開口部８ｂに沿った前後位置に、それぞれ設けられた段差部からなる。
【００２６】
以上のような構成を有する脱着機構１６では、第１の被係止部２１に対して第１の爪部１７を位置決めした状態で、キャップ本体８の開口部８ｂの内側に、口形成部材１３を下側から嵌め込む。このとき、キャップ本体８の上壁部８ｃの下面に一対の上側フランジ部１３ｄが当接された状態となる。また、第１の爪部１７が第１の被係止部２１に係止される。さらに、第２の爪部１８の傾斜面１８ａがキャップ本体８の開口部８ｂの縁に当接しながら、第２の爪部１８が開口部８ｂの縁を乗り越えるのに伴って、ストッパー１９の先端側が前方に向かって回動した後に、ストッパー１９の先端側が後方の元の位置へと復帰すると同時に、第２の爪部１８が第２の被係止部２２に係止される。
【００２７】
これにより、口形成部材１３は、キャップ本体８の開口部８ｂに装着された状態となる。また、口形成部材１３が装着されると同時に、キャップ本体８の開口部８ｂから飲み口部１３ｅが外方（上方）に向かって突き出した状態となる。
【００２８】
一方、脱着機構１６では、ストッパー１９の先端側を前方に向かって回動させる操作によって、第２の被係止部２２に対する第２の爪部１８の係止状態を解除する。これにより、第１の被係止部２１に対する第１の爪部１７の係止状態を解除しながら、キャップ本体８の開口部８ｂの下側から口形成部材１３を取り外すことが可能である。
【００２９】
口形成部材１３が装着されたキャップ本体８は、容器本体２の口頸部２ｃに取り付けられることによって、口形成部材１３が上部開口部２ｄの内側に嵌め込まれた状態で、容器本体２の上部開口部２ｄを閉塞する。
【００３０】
口形成部材１３の下側フランジ部１３ｃには、止水パッキン２３が着脱自在に取り付けられている。止水パッキン２３は、段差部７（容器本体２）と口形成部材１３（キャップ本体８）との間を密閉するためのリング状のシール部材である。止水パッキン２３は、例えばシリコーンゴム等の耐熱性を有するゴムやエラストマーなどの弾性部材からなる。止水パッキン２３は、下側フランジ部１３ｃの外周部に嵌め付けられている。
【００３１】
止水パッキン２３は、容器本体２の上部開口部２ｄの内側に嵌め込まれた際に、弾性変形しながら容器本体２の段差部７に全周に亘って密着した状態となる。これにより、段差部７と口形成部材１３との間を密閉することが可能となっている。
【００３２】
蓋体９は、口形成部材１３が形成する飲み口又は注ぎ口を開閉するものであり、例えばポリプロピレン等の耐熱性樹脂からなる。蓋体９は、キャップ本体８の周壁部８ａと連続するように略円筒状に形成された周壁部９ａと、周壁部９ａの天面を覆う天壁部９ｂとを有している。
【００３３】
蓋体９は、キャップ本体８にヒンジ部２４を介して回動自在に取り付けられている。蓋体９は、ヒンジ部２４の内側に設けられた付勢部材（図示せず。）によって、飲み口又は注ぎ口を開放する方向（開方向）に付勢された状態となっている。なお、付勢部材については、捻りコイルバネなどのバネ部材や、ゴム又はエラストマー等の弾性部材などを用いることができる。
【００３４】
蓋体９の内側には、口形成部材１３が形成する飲み口又は注ぎ口を閉塞する閉栓部材２５が設けられている。蓋体９は、天壁部９ｂの下面側の略中央部から立ち下がる略筒状の内壁部９ｃを有している。閉栓部材２５は、この内壁部９ｃの内側に嵌合により取り付けられている。閉栓部材２５の内側には、後述する蓋ロック機構１０が収容される収容空間が設けられている。
【００３５】
閉栓部材２５が取り付けられた蓋体９は、閉栓部材２５が口形成部材１３の内側に嵌め込まれた状態で、口形成部材１３が形成する飲み口又は注ぎ口を閉塞する。
【００３６】
閉栓部材２５の外周部には、飲み口又は注ぎ口を密閉する蓋パッキン２６が着脱自在に取り付けられている。蓋パッキン２６は、口形成部材１３と閉栓部材２５との間を密閉するための栓状のシール部材である。なお、蓋パッキン２６には、止水パッキン２３と同じ材質のものが用いられている。蓋パッキン２６は、閉栓部材２５を覆うように閉栓部材２５に嵌め付けられている。また、蓋パッキン２６には、通液口１４に当接される略ドーム状の第１の栓部２６ａと、通気口１５に当接される略円柱状の第２の栓部２６ｂとが設けられている。
【００３７】
蓋パッキン２６は、口形成部材１３の内側に嵌め込まれた際に、弾性変形しながら第１の栓部２６ａが通液口１４の周囲に密着した状態で通液口１４を閉塞すると共に、第２の栓部２６ｂが通気口１５の周囲に密着した状態で通気口１５を閉塞する。これにより、口形成部材１３と閉栓部材２５との間を密閉することが可能となっている。
【００３８】
蓋ロック機構１０は、ヒンジ部２４に設けられた付勢部材の付勢に抗して、蓋体９が飲み口又は注ぎ口を閉塞する位置にて蓋体９を固定するものである。また、蓋ロック機構１０は、蓋体９の上部に操作ボタン２７を有し、操作ボタン２７をヒンジ部２４に向かう方向にスライドさせる操作をした後に、操作ボタン２７を押し下げる方向に操作することによって、蓋体９のロック状態を解除し、付勢部材の付勢により蓋体９を開方向に回動可能とする。
【００３９】
具体的に、この蓋ロック機構１０は、操作ボタン２７をスライドさせる方向に案内するガイド溝２８と、操作ボタン２７を押し下げる方向に案内するガイド孔２９とを有している。
【００４０】
操作ボタン２７は、略円板状に形成されると共に、その下面にガイド凸部２７ａと、ガイド凸部２７ａから下方に向かって突出した規制凸部（一方の規制部材）２７ｂとを有している。また、操作ボタン２７の上面には、この操作ボタン２７を指でスライド操作し易くするための凹部又は凸部を有した操作部２７ｃが設けられている。
【００４１】
ガイド溝２８は、蓋体９（天壁部９ｂ）の上面側の略中央部を操作ボタン２７に対応した幅で前後方向に切り欠くように形成されている。ガイド孔２９は、ガイド溝２８の内側に位置して、操作ボタン２７の外形に合わせて天壁部９ｂを貫通している。
【００４２】
また、蓋ロック機構１０は、ガイド孔２９の内側に配置された操作部材３０と、蓋体９にヒンジ部３１を介して回動自在に取り付けられたロック部材３２とを有している。
【００４３】
操作部材３０は、ガイド孔２９の内形に合わせて略円板状に形成されると共に、その外周部から突出したフランジ部（図示せず。）がガイド孔２９の周囲と当接されることによって、ガイド孔２９よりも上方への移動が規制されている。また、操作部材３０は、フランジ部に設けられたガイドスリット（図示せず。）に、内壁部９ｃの内側に設けられたガイドリブ（図示せず。）が係合されることによって、上下方向に昇降自在に支持されている。
【００４４】
さらに、操作部材３０の下面には、ガイドピン３０ａが突出して設けられている。一方、閉栓部材２５の内側の底面には、ガイド筒２５ａが突出して設けられている。そして、操作部材３０は、ガイド筒２５ａの内側にガイドピン３０ａが係合されることによって、上下方向に昇降自在に支持されている。
【００４５】
閉栓部材２５の内側には、第３のコイルバネ（第３のバネ部材）３３が配置されている。第３のコイルバネ３３は、ガイド筒２５ａを内側に進入させることによって、閉栓部材２５の底面から立設した状態で保持されている。第３のコイルバネ３３は、操作部材３０を押し下げたときに、操作部材３０と閉栓部材２５との間で圧縮される（弾性変形する）ことによって、操作部材３０を押し上げる方向に向かって付勢する。また、第３のコイルバネ３３を設けることによって、蓋ロック機構１０による蓋体９のロック状態を確実に維持することが可能である。
【００４６】
操作部材３０には、ガイド凹部３０ｂが設けられている。ガイド凹部３０ｂは、操作部材３０の前端から後端に向かって操作部材３０を操作ボタン２７のスライド量に応じた長さ分だけ切り欠くように形成されている。操作部材３０は、このガイド凹部３０ｂにガイド凸部２７ａを係合させた状態で、操作ボタン２７を前後方向にスライド自在に案内（支持）している。
【００４７】
また、ガイド凹部３０ｂの内側には、第１のコイルバネ（第１のバネ部材）３４が配置されている。第１のコイルバネ３４は、規制凸部２７ｂの後側の側面から突出したピン２７ｄを内側に進入させた状態で、ガイド凸部２７ａとガイド凹部３０ｂとの間で保持されている。
【００４８】
第１のコイルバネ３４は、操作ボタン２７をスライド方向（前後方向）の一端側（前側）から他端側（後側）に向かってスライドさせたときに、操作ボタン２７（ガイド凸部２７ａ）と操作部材３０（ガイド凹部３０ｂ）との間で圧縮される（弾性変形する）ことによって、操作ボタン２７をスライド方向（前後方向）の一端側（前側）に向かって付勢する。
【００４９】
ここで、操作ボタン２７のスライド方向（前後方向）の一端（前端）は、この操作ボタン２７の一部が蓋体９（天壁部９ｂ）の上面と重なる位置（以下、第１の位置という。）にある。第１の位置では、操作ボタン２７の一部が蓋体９（天壁部９ｂ）の上面と当接されることによって、操作ボタン２７の押圧操作を規制している。
【００５０】
また、閉栓部材２５の内側の底面には、操作ボタン２７が第１の位置にあるとき、規制凸部２７ｂと対向する規制ピン２５ｂ（他方の規制部材）が設けられている。第１の位置では、規制凸部２７ｂが規制ピン２５ｂの上方に位置している。この場合、仮に部品の変形等により操作ボタン２７が落ち込み過ぎたとしても、規制凸部２７ｂが規制ピン２５ｂに当接されることによって、操作ボタン２７の押圧操作を規制しながら、この操作ボタン２７のスムーズなスライド操作が可能となっている。
【００５１】
一方、操作ボタン２７のスライド方向（前後方向）の他端（後端）は、操作ボタン２７がガイド孔２９と重なる位置（以下、第２の位置という。）にある。また、第２の位置では、規制ピン２５ｂに対する規制凸部２７ｂの位置が後側にずれることによって、規制ピン２５ｂによる規制凸部２７ｂの規制が解除される。これにより、第２の位置では、操作ボタン２７の押圧操作が可能となっている。
【００５２】
ロック部材３２は、蓋体９の前側の周壁部９ａと天壁部９ｂとの間に設けられたヒンジ部３１に回動自在に支持されている。ロック部材３２は、ヒンジ部３１から周壁部９ａの内面に沿って延長された第１のアーム部３２ａと、ヒンジ部３１から天壁部９ｂの下面に沿って延長された第２のアーム部３２ｂとを有している。
【００５３】
第１のアーム部３２ａの先端（ロック部材３２の一端）には、フック部（一方の係止部）３５が設けられている。フック部３５の先端は、後方に向かって突出し、更に、その突出した部分の下面側が傾斜している。
【００５４】
蓋体９（周壁部９ａ）の前側には、フック部３５を外方に臨ませるスリット９ｄが設けられている。スリット９ｄは、周壁部９ａを下端側からフック部３５に対応した幅で切り欠くように形成されている。一方、スリット９ｄから外方に臨むフック部３５の外面は、蓋体９の周壁部９ａと連続した外周面を形成している。
【００５５】
キャップ本体８には、フック部３５が係止される係止凹部（他方の係止部）３６が設けられている。係止凹部３６は、上壁部８ｃの前側をフック部３５の形状に合わせて切り欠くように形成されている。
【００５６】
ロック部材３２は、フック部３５が係止凹部３６に係止されるロック位置と、フック部３５と係止凹部３６との係止状態が解除されるロック解除位置との間で回動される。
【００５７】
閉栓部材２５の内側には、第２のコイルバネ（第２のバネ部材）３７が設けられている。第２のコイルバネ３７は、閉栓部材２５の内側の底面から突出したピン２５ｃと、第２のアーム部３２ｂの先端（ロック部材３２の他端）から下方に向かって突出したピン３２ｃとを、それぞれ内側に進入させることによって、閉栓部材２５の底面から立設した状態で保持されている。第２のコイルバネ３７は、第２のアーム部３２ｂの先端と閉栓部材２５との間で圧縮された状態で、ロック部材３２を回動方向のロック位置側に向かって付勢している。
【００５８】
以上のような構成を有する蓋ロック機構１０では、操作ボタン２７を第１のコイルバネ３４の付勢に抗して第１の位置から第２の位置までスライドさせる操作をした後に、操作ボタン２７を操作部材３０と共に第２のコイルバネ３７及び第３のコイルバネ３３の付勢に抗してガイド孔２９の内側に向かって押し下げる操作を行う。
【００５９】
これにより、操作部材３０が第２のアーム部３２ｂの先端（ロック部材３２の他端）を押圧しながら、第２のコイルバネ３７の付勢に抗してロック部材３２をロック解除位置まで回動させる。以上のような操作ボタン２７の操作によって、蓋体９のロック状態を解除し、付勢部材の付勢により蓋体９を開方向に回動させることが可能である。
【００６０】
ところで、蓋体９には、図６に示すように、少なくとも側面（周壁部９ａ）の一部を覆う滑り止め部材３８が設けられている。滑り止め部材３８には、例えばシリコーンゴム等の耐熱性を有するゴムやエラストマーなどからなり、一部が開放されたリング形状（いわゆるＣ字状）を有している。また、滑り止め部材３８の両先端側の内側には、抜け止め突起３８ａが突出して設けられている。
【００６１】
一方、周壁部９ａには、ヒンジ部２４とヒンジ部３１との間に亘って、滑り止め部材３８に対応した形状の嵌合凹部３９が設けられている。また、嵌合凹部３９の内側には、抜け止め突起３８ａが嵌合される一対の嵌合孔４０が設けられている。
【００６２】
滑り止め部材３８は、嵌合凹部３９に嵌合された状態で、一対の抜け止め突起３８ａを一対の嵌合孔４０に嵌合することによって、ヒンジ部２４及びヒンジ部３１とのそれぞれの端部を覆うように設けられている。また、滑り止め部材３８の外面は、蓋体９の周壁部９ａと連続した外周面を形成している。
【００６３】
本実施形態の飲料用容器１では、このような滑り止め部材３８を設けることによって、操作ボタン２７の操作をし易くすることが可能である。また、滑り止め部材３８がヒンジ部２４，３１の端部を覆うことで、これらヒンジ部２４，３１を保護しながら、ヒンジ部２４，３１の防水性を高めることが可能である。これにより、ヒンジ部２４，３１の破損や、ヒンジ部２４，３１での錆の発生などを防ぐことが可能である。
【００６４】
以上のように、本実施形態のキャップユニット３では、操作ボタン２７をスライドさせる操作の後に、操作ボタン２７を押し下げる操作（いわゆる２アクションによる操作）を行うことによって、蓋体９のロック状態が解除される。このため、従来のような操作ボタンの不用意な押圧操作（いわゆる１アクションによる操作）によって、蓋体のロック状態が解除されるといったことを防ぐことが可能である。
【００６５】
また、本実施形態のキャップユニット３では、従来のような安全ストッパーなどを設ける必要がないため、部品点数を増やすことなく、不用意な操作によって蓋体９が開くことを防止できる。
【００６６】
また、本実施形態のキャップユニット３では、上述した操作ボタン２７をスライドさせる操作と、操作ボタン２７を押し下げる操作とを連続した操作で行うことができる。これにより、従来のようにコップを取り外してから操作ボタンを操作したり、安全ストッパーを解除してから操作ボタン２７を操作したりする必要がないため、使い勝手の更なる向上を図ることが可能である。
【００６７】
また、本実施形態のキャップユニット３では、蓋体９のロック状態を解除したときのみ、スリット９ｄの間からフック部３５が外側（前側）に突き出される構成のため、蓋体９をロックした状態では、フック部３５がスリット９ｄの内側にあり、フック部３５にロック状態を解除する方向の力が加わりにくくなっている。また、フック部３５が破損しづらい構造となっている。
【００６８】
以上のようにして、本実施形態のキャップユニット３を備える飲料用容器１では、不用意な操作によって蓋体９が開くことを防止しつつ、使い勝手の更なる向上を図ることが可能である。
【００６９】
なお、本発明は、上記実施形態のものに必ずしも限定されるものではなく、本発明の趣旨を逸脱しない範囲において種々の変更を加えることが可能である。
例えば、上記飲料用容器１については、上述した外観形状を有したものに限定されるものではなく、そのサイズや機能、デザイン等に合わせて、適宜変更を加えることが可能である。
【００７０】
また、本発明は、上述した真空断熱構造を有する容器本体２によって保温・保冷機能を持たせた飲料用容器１に好適に適用できるが、上述した真空断熱構造を有する容器本体２を用いたものに必ずしも限定されるものではない。すなわち、本発明は、キャップユニットが容器本体の口頸部に着脱自在に取り付けられる飲料用容器に対して幅広く適用することが可能である。
【符号の説明】
【００７１】
１…飲料用容器  ２…容器本体  ２ｃ…口頸部  ２ｄ…上部開口部  ３…キャップユニット  ８…キャップ本体  ９…蓋体  １０…蓋ロック機構  １３…口形成部材（飲み口又は注ぎ口）  １６…脱着機構  ２３…止水パッキン（シール部材）  ２４…ヒンジ部  ２５…閉栓部材  ２６…蓋パッキン（シール部材）  ２７…操作ボタン  ２９…ガイド孔  ３０…操作部材  ３１…ヒンジ部  ３２…ロック部材  ３３…第３のコイルバネ（第３のバネ部材）  ３４…第１のコイルバネ（第１のバネ部材）  ３５…フック部（一方の係止部）  ３６…係止凹部（他方の係止部）  ３７…第２のコイルバネ（第２のコイル部材）  ３８…滑り止め部材
【要約】
【課題】不用意な操作によって蓋体が開くことを防止したキャップユニットを提供する。
【解決手段】容器本体２の上部開口部２ｄを閉塞すると共に、上部に飲み口又は注ぎ口１３が設けられたキャップ本体８と、キャップ本体８にヒンジ部２４を介して回動自在に取り付けられると共に、ヒンジ部２４に設けられた付勢部材によって飲み口又は注ぎ口１３を開放する方向に付勢された状態で、飲み口又は注ぎ口１３を開閉する蓋体９と、付勢部材の付勢に抗して、蓋体９が飲み口又は注ぎ口１３を閉塞する位置にて蓋体９を固定する蓋ロック機構１０とを備え、蓋ロック機構１０は、蓋体９の上部に操作ボタン２７を有し、操作ボタン２７をヒンジ部２４に向かう方向にスライドさせる操作をした後に、操作ボタン２７を押し下げる方向に操作することによって、蓋体９のロック状態を解除し、付勢部材の付勢により蓋体９を開方向に回動可能とする。
【選択図】図４【図１】
0006027647.tif 000002
【図２】
0006027647.tif 000003
【図３】
0006027647.tif 000004
【図４】
0006027647.tif 000005
【図５】
0006027647.tif 000006
【図６】
0006027647.tif 000007